(57)【要約】【課題】製造不良を低減できると共に、組み込まれた製品の不具合を低減できる水栓を提供すること。【解決手段】複数の部品２１，２５が接合されて通水空間が形成された水栓本体２を備える水栓１であって、複数の部品２１，２５の少なくとも一部品２１は、鍛造品である。また、鍛造品である一部品２１は、意匠面に配置されることが好ましい。また、鍛造品である一部品２１に接合される他部品２５は、プレート状に形成されることが好ましい。鍛造品である一部品２１に接合される他部品２５は、非意匠面において、鍛造品である一部品２１に接合されることが好ましい。【選択図】図２
2019044375.tif 000002
【特許請求の範囲】
【請求項１】
複数の部品が接合されて通水空間が形成された水栓本体を備える水栓であって、
前記複数の部品の少なくとも一部品は、鍛造品である水栓。
【請求項２】
前記鍛造品である前記一部品は、意匠面に配置される請求項１に記載の水栓。
【請求項３】
前記鍛造品である前記一部品に接合される他部品は、プレート状に形成される請求項１又は２に記載の水栓。
【請求項４】
前記鍛造品である前記一部品に接合される他部品は、非意匠面において、前記鍛造品である前記一部品に接合される請求項１から３のいずれかに記載の水栓。
【請求項５】
前記一部品に前記一部品に接合される他部品を配置した状態において、前記一部品に前記他部品をろう付けするための溝が形成される請求項１から４のいずれかに記載の水栓。
【請求項６】
前記鍛造品である前記一部品に接合される他部品は、前記一部品の溝にろう材が配置されたろう付け部において前記一部品に接合される請求項１から５のいずれかに記載の水栓。
【発明の詳細な説明】
【技術分野】
【０００１】
本発明は、水栓に関する。
【背景技術】
【０００２】
従来、鋳造品からなる水栓本体を備えた水栓が知られている（例えば、特許文献１参照）。特許文献１に記載の水栓本体は、鋳造により一体で成型されている。
【先行技術文献】
【特許文献】
【０００３】
【特許文献１】特開２００２−３８５５５号公報
【発明の概要】
【発明が解決しようとする課題】
【０００４】
水栓本体を鋳造により一体成型する場合に、砂型を利用する場合がある。砂型を利用して鋳造品からなる水栓本体を製造した場合に、水栓本体に残った砂により、水栓本体が組み込まれる製品に不具合を生じさせる可能性がある。また、鋳造品からなる水栓本体を製造した場合に、ヒケが生じやすく、水栓本体の形状が安定しないことがあり、水栓本体に製造不良が生じる可能性がある。
そのため、製造不良を低減できると共に、砂残りを低減することで水栓本体が組み込まれた製品の不具合を低減できる水栓が望まれる。
【０００５】
本発明は、製造不良を低減できると共に、組み込まれた製品の不具合を低減できる水栓を提供することを目的とする。
【課題を解決するための手段】
【０００６】
本発明は、複数の部品（例えば、後述の意匠面側ハウジング２１、非意匠面側蓋部材２５）が接合されて通水空間（例えば、後述の通水空間Ｋ）が形成された水栓本体（例えば、後述の水栓本体２）を備える水栓（例えば、後述の水栓装置１）であって、前記複数の部品の少なくとも一部品は、鍛造品である水栓に関する。
【０００７】
また、前記鍛造品である前記一部品は、意匠面に配置されることが好ましい。
【０００８】
また、前記鍛造品である前記一部品に接合される他部品（例えば、後述の非意匠面側蓋部材２５）は、プレート状に形成されることが好ましい。
【０００９】
また、前記鍛造品である前記一部品に接合される他部品（例えば、後述の非意匠面側蓋部材２５）は、非意匠面において、前記鍛造品である前記一部品に接合されることが好ましい。
【００１０】
また、前記一部品に前記一部品に接合される他部品を配置した状態において、前記一部品に前記他部品をろう付けするための溝（例えば、後述のろう付け用溝２３３）が形成されることが好ましい。
【００１１】
また、前記鍛造品である前記一部品に接合される他部品（例えば、後述の非意匠面側蓋部材２５）は、前記一部品の溝（例えば、後述のろう材配置溝２１４ａ）にろう材が配置されたろう付け部（例えば、後述の置きろうろう付け部２４）において前記一部品に接合されることが好ましい。
【発明の効果】
【００１２】
本発明によれば、製造不良を低減できると共に、組み込まれた製品の不具合を低減できる水栓を提供することができる。
【図面の簡単な説明】
【００１３】
【図１】本発明の一実施形態としての水栓本体を備える水栓装置を示す斜視図である。
【図２】水栓本体を示す斜視図である。
【図３】意匠面側ハウジングから非意匠面側蓋部材を取り外した状態を水栓本体の背面側から見た斜視図である。
【図４】図２のＡ−Ａ線断面図である。
【発明を実施するための形態】
【００１４】
以下、本発明の一実施形態の水栓装置１について、図面を参照しながら説明する。図１は、本発明の一実施形態としてのディスク式弁装置６を備える水栓装置１を示す斜視図である。本実施形態においては、水栓装置１を正面から見た場合に、カラン側吐水部３３１が配置される手前側を前側（正面側）といい、シャワー側吐水部３３２が配置される奥側を後側（背面側）という。水栓装置１を正面から見た場合において、左右の方向を左右方向という。
【００１５】
まず、本実施形態に係る水栓装置１（水栓）の全体構成について説明する。
図１に示すように、水栓装置１は、水栓本体２と、水側クランク脚３１１と、湯側クランク脚３１２と、水側ハンドル３２１と、湯側ハンドル３２２と、カラン側吐水部３３１と、シャワー側吐水部３３２と、切替ハンドル４と、ディスク式弁装置６と、を含んで構成される。
【００１６】
本実施形態の水栓装置１は、２つのハンドル（水側ハンドル３２１及び湯側ハンドル３２２）を備える壁付けタイプの混合水栓である。水栓装置１は、２つのハンドル（水側ハンドル３２１及び湯側ハンドル３２２）により、水側クランク脚３１１及び湯側クランク脚３１２から供給される水と湯の混合比を調整し、切替ハンドル４を回転させることにより、吐水状態を切り替える。具体的には、水栓装置１は、切替ハンドル４を回転させることにより、止水状態と通水状態とを切り替えると共に、各吐水部（カラン側吐水部３３１、シャワー側吐水部３３２）からの吐水流量を調整する。
【００１７】
水栓本体２は、左右方向に延びる。水栓本体２は、左右方向に延びる箱状のハウジング２０により構成され、ハウジング２０の内部には、水側クランク脚３１１及び湯側クランク脚３１２を介して導入された水及び湯、混合された湯水が流通される。また、ハウジング２０の内部には、ディスク式弁装置６（後述）が配置される。
水栓本体２の詳細については後述する。
【００１８】
水側クランク脚３１１及び湯側クランク脚３１２は、水栓本体２のハウジング２０の背面における長手方向の両端部にそれぞれ接続される。本実施形態においては、水側クランク脚３１１は、図１における正面から見て右側の端部に接続され、湯側クランク脚３１２は、図１における正面から見て左側の端部に接続される。水側クランク脚３１１及び湯側クランク脚３１２は、一端部が水栓本体２の背面に接続され、他端部が浴室等の壁に固定される。
【００１９】
水側ハンドル３２１及び湯側ハンドル３２２は、水栓本体２のハウジング２０の上面における長手方向の両端部にそれぞれ設けられる。本実施形態においては、水側ハンドル３２１は、正面から見て右側の端部に接続され、湯側ハンドル３２２は、正面から見て左側の端部に接続される。水側ハンドル３２１の内部には、水側弁体（図示せず）が配置され、湯側ハンドル３２２の内部には、湯側弁体（図示せず）が配置される。水側ハンドル３２１及び湯側ハンドル３２２を回転させることにより、水及び湯の混合比を調整する。
【００２０】
カラン側吐水部３３１は、水栓本体２のハウジング２０の長手方向の略中央の下面から前方に延びて形成される。
シャワー側吐水部３３２は、水栓本体２のハウジング２０の背面における長手方向の略中央において水平方向に延出して下方に屈曲したシャワーエルボ３３２ａを有する。シャワーエルボ３３２ａには、シャワー部（図示せず）へ湯水を給水するためのチューブが接続される。
【００２１】
切替ハンドル４は、水栓本体２のハウジング２０の前面における長手方向の略中央において前側に配置される。切替ハンドル４は、水栓本体２に対して回動自在に設けられる。切替ハンドル４は、水栓本体２のハウジング２０の内部に配置されるディスク式弁装置６に接続される。水栓装置１の使用者は、切替ハンドル４の回転操作によって、カラン側吐水部３３１又はシャワー側吐水部３３２から吐水するかの切り替えを行うと共に、カラン側吐水部３３１及びシャワー側吐水部３３２からの吐水流量の調整を行う。
【００２２】
切替ハンドル４は、円筒状に形成される。切替ハンドル４の外周部には、止水時に上方側に突出する突出部４１が設けられる。本実施形態においては、突出部４１が上方側に突出して位置する場合には、止水状態であり、正面から見て右側に回動された場合に、カラン側吐水部３３１から湯水を吐水する吐水状態であり、正面から見て左側に回動された場合に、シャワー側吐水部３３２から湯水を吐水する吐水状態である。
【００２３】
ディスク式弁装置６は、図１に示すように、水栓本体２の長手方向の略中央において、水栓本体２のハウジング２０の内部に配置される。切替ハンドル４を回転させることで、ディスク式弁装置６の一次側弁体（図示せず）を回転させることができる。ディスク式弁装置６の一次側弁体（図示せず）を回転させることで、吐水状態（通水状態又は止水状態）を切り替え可能である。また、ディスク式弁装置６は、通水状態において、カラン側吐水部３３１から吐水される吐水流量を調整でき、シャワー側吐水部３３２から吐水される吐水流量を調整できる。
【００２４】
次に、水栓本体２の詳細について説明する。図２は、水栓本体２を示す斜視図である。図３は、意匠面側ハウジング２１から非意匠面側蓋部材２５を取り外した状態を水栓本体２の背面側から見た斜視図である。図４は、図２のＡ−Ａ線断面図である。
【００２５】
水栓本体２は、図２及び図３に示すように、左右方向に延びるハウジング２０から構成される。ハウジング２０は、図２に示すように、意匠面に配置される意匠面側ハウジング２１（一部品）と、意匠面でない非意匠面に配置される非意匠面側蓋部材２５（他部品）と、を有する。ハウジング２０には、意匠面側ハウジング２１と非意匠面側蓋部材２５とが接合されて、複数の通水空間Ｋ（図４参照）が形成される。通水空間Ｋは、周囲が囲まれるように形成され、水が通水される。ハウジング２０は、意匠面側ハウジング２１と非意匠面側蓋部材２５との２部品で構成される。本実施形態においては、意匠面とは、使用者が水栓装置１を使用する際に主に正面から視認される面を意味する。また、非意匠面とは、使用者が水栓装置１を使用する際に主に正面から視認されない面を意味する。
【００２６】
意匠面側ハウジング２１及び非意匠面側蓋部材２５は、鍛造品である。意匠面側ハウジング２１及び非意匠面側蓋部材２５は、それぞれ、一体で形成される一体部品である。鍛造品は、例えば、金属材料を金型で圧縮することで成型される。本実施形態においては、意匠面側ハウジング２１及び非意匠面側蓋部材２５を鍛造品で成型する場合に、例えば、金属材料として、黄銅などの銅合金等を用いることができる。
【００２７】
従来、水栓本体２を構成するハウジングは、鋳造により一体で成型される鋳造品で構成されることが多かった。鋳造品でハウジングを構成する場合には、鋳造品を製作する際に液状の金属材料を金型に流し込んで成型するため、ヒケが生じやすく、水栓本体の形状が安定しないことがあり、製造不良が生じることがあった。また、砂型を利用して鋳造品からなるハウジングを製造した場合に、砂残りが生じ、水栓装置にその水栓本体を組み込んで使用する場合に水栓装置に不具合が生じる可能性がある。
【００２８】
これに対して、本発明では、ハウジング２０を２部品で構成すると共に、意匠面側ハウジング２１を鍛造品で構成する。意匠面側ハウジング２１を鍛造品で構成しており、ヒケが生じないため、製造不良を低減できる。また、鋳造品ではないため、砂型を利用しない。そのため、砂残りが生じないため、水栓装置１に水栓本体２を組み込んで使用しても、水栓装置１の不具合を低減できる。また、意匠面側ハウジング２１を鍛造品で構成するため、鋳造品で構成するよりも、肉薄に形成できる。また、意匠面側ハウジング２１と非意匠面側蓋部材２５とを接合することで周囲が囲まれるような通水空間Ｋを形成できるため、従来の鋳造により砂型を利用せずに一体で成型される鋳造品の型抜きでは形成できない通水空間Ｋを、意匠面側ハウジング２１と非意匠面側蓋部材２５とを接合することで形成できる。
【００２９】
意匠面側ハウジング２１は、図２及び図３に示すように、左右方向に延び、背面が開放した略直方体形状の箱状に形成される。意匠面側ハウジング２１は、前側に配置される前面壁２２と、開放した背面を囲むように前面壁２２の周縁から後側に延びる周壁２３と、を有する。前面壁２２は、上下方向及び左右方向に延びると共に、左右方向に長い板状に形成される。前面壁２２の左右方向の両端部は、後側に湾曲して形成される。
【００３０】
意匠面側ハウジング２１は、一対のハンドル接続開口筒状部２１１と、カラン側接続開口筒状部２１２と、切替ハンドル接続開口部２１３と、を有する。
一対のハンドル接続開口筒状部２１１は、それぞれ、意匠面側ハウジング２１の上面における長手方向の両端部において上方に突出する筒状に形成される。一対のハンドル接続開口筒状部２１１には、ハンドル（水側ハンドル３２１及び湯側ハンドル３２２（図１参照））がそれぞれ接続される。
カラン側接続開口筒状部２１２は、意匠面側ハウジング２１の下面における長手方向の略中央において下方に突出する筒状に形成される。カラン側接続開口筒状部２１２には、カラン側吐水部３３１（図１参照）が接続される。
切替ハンドル接続開口部２１３は、意匠面側ハウジング２１の前面壁２２における長手方向の略中央において前後方向に貫通する筒状に形成される。切替ハンドル接続開口部２１３には、切替ハンドル４（図１参照）が接続される。
【００３１】
図３に示すように、意匠面側ハウジング２１の背面側の開放した部分を囲む周壁２３の内側には、一対の板状仕切壁２１４と、筒状仕切壁２１５と、が形成される。
【００３２】
一対の板状仕切壁２１４は、意匠面側ハウジング２１の背面において開放した部分を囲む周壁２３の内部において、長手方向の両端部の空間を仕切るように、上下方向に延びる壁状に形成される。一対の板状仕切壁２１４の背面側の端面には、置きろうによるろう付けのための、ろう材配置溝２１４ａが形成される。ろう材配置溝２１４ａは、一対の板状仕切壁２１４の背面側の端面２１４ｂにおいて前側に窪んで形成され、上下方向に溝状に延びる。ろう材配置溝２１４ａにろう材が配置された状態で、ろう材が加熱溶融されることで、意匠面側ハウジング２１の背面には、非意匠面側蓋部材２５（後述）が接合される。
【００３３】
筒状仕切壁２１５は、切替ハンドル接続開口部２１３（図２参照）の外郭を構成しており、意匠面側ハウジング２１の長手方向の略中央において、意匠面側ハウジング２１を前後方向に連通する円筒状の壁状に形成される。
【００３４】
意匠面側ハウジング２１の背面側の開放した部分を囲む周壁２３の後側の端部には、外側周端面２３１及び段差周端面２３２が形成される。
外側周端面２３１は、意匠面側ハウジング２１の周壁２３の端面における外側の部分である。
段差周端面２３２は、外側周端面２３１の内側において、意匠面側ハウジング２１の周壁２３の端面の内側の部分が前側に窪んで形成される部分である。段差周端面２３２は、意匠面側ハウジング２１の周壁２３の全域に亘って形成される。段差周端面２３２は、前後方向において、外側周端面２３１よりも前側に位置すると共に、一対の板状仕切壁２１４の背面側の端面及び筒状仕切壁２１５の背面側の端面と同じ位置に位置する。
【００３５】
非意匠面側蓋部材２５は、図３及び図４に示すように、意匠面側ハウジング２１の背面に接合される。非意匠面側蓋部材２５は、上下方向及び左右方向に延びるプレート部２５１と、シャワー側接続開口部２５２と、一対のクランク脚接続筒部２５３と、を有する。
【００３６】
プレート部２５１は、左右方向に長いプレート状（板状）に形成される。プレート部２５１は、意匠面側ハウジング２１の背面における非意匠面において、意匠面側ハウジング２１に接合される。
【００３７】
意匠面側ハウジング２１の背面に非意匠面側蓋部材２５が接合される場合には、プレート部２５１は、意匠面側ハウジング２１の背面における外側周端面２３１の内側において、段差周端面２３２、一対の板状仕切壁２１４の背面側の端面２１４ｂ及び筒状仕切壁２１５の背面側の端面２１５ａに当接した状態で、意匠面側ハウジング２１の背面に配置される。プレート部２５１は、意匠面側ハウジング２１の背面側の端部において、外側周端面２３１の内側に配置され、外側周端面２３１よりも前側に窪んだ段差周端面２３２において、意匠面側ハウジング２１の背面に取り付けられる。そのため、プレート部２５１は、意匠面側ハウジング２１の背面側の端部における外側周端面２３１が形成される部分に隠されるため、意匠面側ハウジング２１と非意匠面側蓋部材２５のプレート部２５１の接合部分が正面から見えない状態で、意匠面側ハウジング２１の背面に取り付けられる。
【００３８】
ここで、意匠面側ハウジング２１の外側周端面２３１の内周縁と非意匠面側蓋部材２５の外周縁とは、互いに正面側に向かうに従って近づくように傾斜しており、意匠面側ハウジング２１の外側周端面２３１の内周縁と非意匠面側蓋部材２５の外周縁とにより、略Ｖ字状のろう付け用溝２３３が形成される。ろう付け用溝２３３は、背面側に開放して露出しており、意匠面側ハウジング２１の外側周端面２３１の内周縁及び非意匠面側蓋部材２５の外周縁の周方向の全域に亘って形成される。
【００３９】
また、意匠面側ハウジング２１は、ろう付け用溝２３３に周囲からろうを流し込むことで、水栓本体２を構成するハウジング２０の外部側において、ろう付けにより、意匠面側ハウジング２１に接合されると共に、置きろうろう付け部２４（ろう付け部）において、水栓本体２を構成するハウジング２０の内部側において、置きろうによるろう付けにより、意匠面側ハウジング２１に接合される。置きろうろう付け部２４は、意匠面側ハウジング２１と非意匠面側蓋部材２５のプレート部２５１とが接合される場合に、置きによるろう付けにより接合される部分である。
【００４０】
プレート部２５１を意匠面側ハウジング２１に接合する場合には、意匠面側ハウジング２１の段差周端面２３２と非意匠面側蓋部材２５の周縁においては、ろう付け用溝２３３に周囲からろうを流し込んで段差周端面２３２においてろう付けを行うと共に、置きろうろう付け部２４において、意匠面側ハウジング２１の板状仕切壁２１４のろう材配置溝２１４ａにろう材が配置され、ろう材が加熱溶融される。これにより、置きろうろう付け部２４においては周囲からろうを流し込むことができないが、ろう材配置溝２１４ａに配置したろう材を溶融することで、ろう材がろう材配置溝２１４ａに流れ込んで、プレート部２５１は、意匠面側ハウジング２１に接合される。このようにして、非意匠面側蓋部材２５は、プレート部２５１において、水栓本体２を構成するハウジング２０の内部側において、置きろうによるろう付けにより、意匠面側ハウジング２１の背面に接合される。従って、１つの非意匠面側蓋部材２５を用いた場合においても、１つの非意匠面側蓋部材２５の途中の位置で空間を遮断することで、水栓本体２を構成するハウジング２０の内部に、複数の通水空間Ｋを形成できる。
【００４１】
シャワー側接続開口部２５２は、プレート部２５１の背面における長手方向の略中央において、プレート部２５１の背面から後側に延びる円筒状に形成される。シャワー側接続開口部２５２には、シャワー側吐水部３３２が接続される。
一対のクランク脚接続筒部２５３は、プレート部２２１の背面における長手方向の両端部において、プレート部２５１の背面から後側に延びる円筒状に形成される。一対のクランク脚接続筒部２５３には、それぞれ、水側クランク脚３１１又は湯側クランク脚３１２が接続される。
【００４２】
以上説明してきたように、本実施形態によれば、以下の効果が奏される。
本実施形態の水栓装置１は、複数の部品（意匠面側ハウジング２１、非意匠面側蓋部材２５）が接合されて通水空間Ｋが形成された水栓本体２を備える水栓装置１であって、意匠面側ハウジング２１は、鍛造品である。そのため、意匠面側ハウジング２１が鍛造品であるため、意匠面側ハウジング２１を肉薄に形成できる。これにより、意匠面側ハウジング２１の材料に要するコストを低減できる。また、意匠面側ハウジング２１が鍛造品であり、ヒケが生じないため、ヒケによる製造不良を低減できる。また、砂型を利用せずに製造できるため、水栓本体２が組み込まれた製品の不具合を低減できる。また、水栓本体２が複数の部品を接合して構成されるため、内部欠陥を発見しやすく、製造不良を低減できる。また、複数の部品を接合して水栓本体２を構成できるため、様々な形状の水栓本体２を製造しやすい。また、意匠面側ハウジング２１と非意匠面側蓋部材２５とを接合することで周囲が囲まれるような通水空間Ｋを形成できるため、従来の鋳造により一体で成型される鋳造品の型抜きでは形成できない通水空間Ｋを、意匠面側ハウジング２１と非意匠面側蓋部材２５とを接合することで形成できる。
【００４３】
また、本実施形態では、鍛造品である意匠面側ハウジング２１は、意匠面に配置される。そのため、複数の部品を接合して水栓本体２を構成しても、鍛造品である意匠面側ハウジング２１を意匠面に配置することで、外観が優れた意匠性が向上された水栓本体２とすることができる。
【００４４】
また、本実施形態では、鍛造品である意匠面側ハウジング２１に接合される非意匠面側蓋部材２５は、プレート状に形成される。そのため、非意匠面側蓋部材２５の形状が簡易な形状に形成されるため、意匠面側ハウジング２１に非意匠面側蓋部材２５を容易に接合できる。
【００４５】
また、本実施形態では、非意匠面側蓋部材２５は、非意匠面において、鍛造品である意匠面側ハウジング２１に接合される。そのため、非意匠面側蓋部材２５と意匠面側ハウジング２１との接合部分が非意匠面に配置されており、非意匠面側蓋部材２５と意匠面側ハウジング２１との接合部分は、視認されにくい。よって、水栓本体２を複数の部品で構成しつつ、意匠性を向上できる。
【００４６】
また、本実施形態では、意匠面側ハウジング２１に非意匠面側蓋部材２５を配置した状態において、意匠面側ハウジング２１に非意匠面側蓋部材２５をろう付けするためのろう付け用溝２３３が形成される。これにより、ろう付け用溝２３３にろうを周囲から流し込むことで、ろう付けにより、意匠面側ハウジング２１に非意匠面側蓋部材２５を、容易に接合させることができる。
【００４７】
また、本実施形態では、非意匠面側蓋部材２５は、意匠面側ハウジング２１のろう材配置溝２１４ａにろう材が配置された置きろうろう付け部２４において、鍛造品である意匠面側ハウジング２１に接合される。これにより、１つの非意匠面側蓋部材２５を用いた場合においても、ろう材配置溝２１４ａにろう材が配置された置きろうろう付け部２４において接合できるため、１つの非意匠面側蓋部材２５の途中の位置で空間を遮断することで、複数の通水空間Ｋを形成できる。
【００４８】
以上、本発明の水栓装置１の好ましい一実施形態について説明したが、本発明は、上述の実施形態に制限されるものではなく、適宜変更が可能である。
例えば、前記実施形態では、非意匠面側蓋部材２５を鍛造品で構成したが、これに限定されず、鍛造品で構成しなくてもよい。例えば、非意匠面側蓋部材２５を鋳造品で構成したり、その他の製造方法で製作したもので構成してもよい。
【００４９】
また、前記実施形態では、水栓本体２を構成するハウジング２０を２つの部品で構成したが、これに限定されない。水栓本体を構成するハウジングを３つ以上の部品で構成してもよい。
【００５０】
また、前記実施形態では、意匠面側ハウジング２１の背面を開放するように構成し、この背面の開放された部分に、非意匠面側蓋部材２５を配置したが、これに限定されない。意匠面側ハウジングの底面を開放するように構成して、この底面の開放された部分に、非意匠面側蓋部材を配置してもよい。この場合において、意匠面側ハウジングの底面は、非意匠面である。
【００５１】
また、前記実施形態では、意匠面側ハウジング２１の背面に非意匠面側蓋部材２５を接合する場合に、置きろうによるろう付けにより接合したが、これに限定されず、例えば、溶接などにより接合してもよいし、置きろう以外のろう付けにより接合してもよい。
【００５２】
また、前記実施形態では、非意匠面側蓋部材２５をプレート状に形成したが、非意匠面側蓋部材２５の形状は、これに限定されず、例えば、厚みを有したブロック状や筒状などの形状でもよい。
【符号の説明】
【００５３】
１  水栓装置（水栓）
２  水栓本体
２１  意匠面側ハウジング（一部品）
２４  置きろうろう付け部（ろう付け部）
２５  非意匠面側蓋部材（他部品）
２１４ａ  ろう材配置溝（溝）
２３３  ろう付け用溝（ろう付けするための溝）
Ｋ  通水空間
【図１】
2019044375.tif 000003
【図２】
2019044375.tif 000004
【図３】
2019044375.tif 000005
【図４】
2019044375.tif 000006